(57)【要約】      （修正有）【課題】ボルトを用いて刃を所望の位置に位置決めてロックするカッターを提供する。【解決手段】ロックカッターは、グリップ１０と、調整装置２０と、螺合装置を有し、グリップは、内部に刃５０が進退可能に設置され、複数の掛止部１２が刃の進退方向に沿って形成され、調整装置は、刃と連結するように、摺動可能にグリップに取り付けられ、螺合装置は、調整装置に取り付けられ、互いに組み合わせるボルト及びチューブを備え、ボルトの一端がグリップの少なくとも１つの掛止部に挿し込まれる。グリップの上面に摺動溝部１１が形成され、摺動溝部の少なくとも一側の縁部における掛止部と対応する箇所に複数の位置決め部１１２が形成され、調整装置が螺合装置と共にグリップに対して摺動して位置決めすることが好ましい。【選択図】図２
0003196306.tif 000002
【実用新案登録請求の範囲】
【請求項１】
内部に刃が進退可能に設置され、複数の掛止部が該刃の進退方向に沿って形成されるグリップと、
前記刃と連結するように、摺動可能に前記グリップに取り付けられる調整装置と、
前記調整装置に取り付けられ、互いに組み合わせるボルト及びチューブを備え、該ボルトの一端がグリップの少なくとも１つの掛止部に挿し込まれる螺合装置と、を有することを特徴とするロックカッター。
【請求項２】
前記グリップの上面に摺動溝部が形成され、該摺動溝部の少なくとも一側の縁部における掛止部と対応する箇所に複数の位置決め部が形成され、
前記調整装置が螺合装置と共にグリップに対して摺動して位置決め部に位置決めることを特徴とする請求項１に記載のロックカッター。
【請求項３】
前記ボルトは、ヘッド及び首部を備え、該ヘッドが首部の一端に設けられ、該ヘッドに回転ボタン装着されることを特徴とする請求項２に記載のロックカッター。
【請求項４】
前記位置決め部が係合歯であることを特徴とする請求項３に記載のロックカッター。
【請求項５】
前記調整装置が上調整器及び下調整器を備え、
前記ボルトが回転可能に上調整器に取り付けられ、
前記チューブが下調整器に嵌合されることを特徴とする請求項４に記載のロックカッター。
【請求項６】
前記調整装置にオートロック部材が取り付けられ、該オートロック部材が付勢力によってグリップの少なくとも１つの位置決め部に係合されることを特徴とする請求項５に記載のロックカッター。
【請求項７】
前記回転ボタンをカバーするように、フタが下調整器に組み合わせることを特徴とする請求項６に記載のロックカッター。
【請求項８】
前記掛止部がそれぞれ刃の進退方向への直線に沿って配列されることを特徴とする請求項１乃至７の何れか１項に記載のロックカッター。
【請求項９】
前記掛止部がグリップを貫通する係合穴であることを特徴とする請求項８に記載のロックカッター。
【請求項１０】
前記グリップの底面が平坦状を呈することを特徴とする請求項９に記載のロックカッター。
【請求項１１】
前記掛止部がグリップを貫通しない凹み部であることを特徴とする請求項８に記載のロックカッター。
【請求項１２】
前記グリップの底面に凹み部が形成され、
前記掛止部がそれぞれグリップの凹み部に凹設されることを特徴とする請求項１１に記載のロックカッター。
【請求項１３】
前記掛止部は円形または方形にすることを特徴とする請求項８または１２に記載のロックカッター。
【請求項１４】
前記掛止部がそれぞれ間隔をおいて配列されるリブであることを特徴とする請求項８に記載のロックカッター。
【請求項１５】
前記ボルトの掛止部と係合する一端に、平坦状ではないガイド部が形成されることを特徴とする請求項８、１３、１４の何れか１項に記載のロックカッター。
【考案の詳細な説明】
【技術分野】
【０００１】
本考案は、特にボルトを用いて刃を所望の位置にロックするカッターに関するものである。
【背景技術】
【０００２】
既存のカッターは、主に紙や板材を裁断するために使用される文房具であり、細長状のグリップを備え、そのグリップの内部に刃が進退自在に取り付けられ、その刃の進退動作を制御するために、グリップに調整装置が刃と連接するように設置される。その調整装置を調整する時に、刃をグリップから押し出させて紙や板材の裁断作業を行われる。一方、そのカッターを用いて厚めや硬めの物を裁断する場合に、その刃を所定の長さで伸び出すことが必要であることから、通常に調整装置に位置決め構造が取り付けられ、その位置決め機構造によって刃を位置決めることができる。この位置決め構造は、主に調整装置にボルトが取り付けられ、そのボルトをしっかりと締めると、刃を締め付けてグリップに対して移動することができず、そのボルトを緩めると、刃をグリップに対して移動自在に摺動することができ、所望の長さを自由に調整することができる。
【考案の概要】
【考案が解決しようとする課題】
【０００３】
しかしながら、既存のカッターの位置決め構造は、ボルトと刃の側面との摩擦力によって刃を所定の位置に位置決めることができるが、そのボルトの締め力がまだ足りなくて、押し力または引き力を受ければ、その調整装置及び刃が移動する可能性があり、カッターの刃をしっかりと位置決めることが不能である。また、その位置決め構造のボルトが刃の側面と接触するように刃を位置決めることから、ボルトと刃との間に摩損を生じて刃の側面に傷をつけるという問題を有し、位置決め効果に劣り、改良する必要がある。
【課題を解決するための手段】
【０００４】
上述した問題を解決するために、本考案に係るロックカッターは、グリップと、調整装置と、螺合装置を有し、その内、該グリップは、内部に刃が進退可能に設置され、複数の掛止部が該刃の進退方向に沿って形成され、該調整装置は、前記刃と連結するように、摺動可能に前記グリップに取り付けられ、該螺合装置は、前記調整装置に取り付けられ、互いに組み合わせるボルト及びチューブを備え、該ボルトの一端がグリップの少なくとも１つの掛止部に挿し込まれるものを提供する。
【考案の効果】
【０００５】
上述した構造を有すれば、本考案に係るロックカッターは、螺合装置のボルトがグリップの掛止部に挿し込むことによって、刃が力を受けてもずれないようにロックすることができる。、また、そのボルトがグリップとの摩損も減少することから、刃を位置決めてロックする効果を有すると共に、ロックカッターの使用寿命も延長できる。
【図面の簡単な説明】
【０００６】
【図１】本考案に係るロックカッターの第一実施例の斜視図である。
【図２】本考案に係るロックカッターの第一実施例の部分分解斜視図である。
【図３】本考案に係るロックカッターの第一実施例の調整装置及び螺合装置の分解斜視図である。
【図４】本考案に係るロックカッターの第一実施例の調整装置及び螺合装置の他の分解斜視図である。。
【図５】本考案に係るロックカッターの第一実施例において、ロックしていない状態を示す部分断面斜視図である。
【図６】本考案に係るロックカッターの第一実施例において、ロックした状態を示す部分断面斜視図である。
【図７】本考案に係るロックカッターの第二実施例の部分分解斜視図である。
【図８】本考案に係るロックカッターの第二実施例の部分分解断面図である。
【図９】本考案に係るロックカッターの第二実施例のグリップの側面視断面図である。
【図１０】本考案に係るロックカッターのボルトの側面視平面図である。
【図１１】本考案に係るロックカッターの他のボルトの側面視平面図である。
【考案を実施するための形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１乃至図４に示すように、本考案に係るロックカッターの第一実施例は、グリップ１０と、調整装置２０と、オートロック部材７０と、螺合装置４０と、刃５０とを有する。その刃５０が進退可能にグリップ１０の内部に設置される。そのグリップ１０の底面に複数の掛止部１２が刃５０の進退方向、即ち、グリップ１０の長手方向に沿って形成される。そのグリップ１０の底面が平坦状を呈すると共に、それらの掛止部１２がそれぞれ間隔をおいて刃５０の進退方向、即ち、グリップ１０の長手方向への直線に沿って配列される。また、その掛止部１２は、如何なるタイプにしてもよく、例えば、係合穴や、凹部、間隔のリブなどの構造にしてもよく、円形または方形にしてもよい。本実施例における掛止部１２がグリップ１０を貫通する係合穴である。
前記グリップ１０の上面に摺動溝部１１が形成され、該摺動溝部１１の一側の縁部に、それぞれ掛止部１２と対応する複数の位置決め部１１２が形成され、こられの位置決め部１１２が歯状の係合歯であることが好ましい。
【０００９】
前記調整装置２０は、摺動可能にグリップ１０の摺動溝部１１に取り付けられ、位置決め部１１２に位置決めることができ、上調整器２２及び下調整器２４を備える。前記刃５０が調整装置２０の下調整器２４に連結するように取り付けられる。そのため、刃５０が調整装置２０を介してグリップ１０に対して摺動することができる。また、前記オートロック部材７０は、調整装置２０に取り付けられ、バネの付勢力によってグリップ１０の位置決め部１１２に係合される。
【００１０】
前記螺合装置４０は、調整装置２０に取り付けられ、互いに組み合わせるボルト４２及びチューブ４４を有し、その内、該ボルト４２は、回転可能に上調整器２２に取り付けられ、ヘッド４２２及び首部４２４を備え、該ヘッド４２２が首部４２４の一端に設けられ、該首部４２４が調整装置２０を貫通してグリップ１０の少なくとも１つの掛止部１２に挿設される。
図１０及び図１１に示すように、その首部４２４、４２４Ａの掛止部１２と係合する一端に、平坦状ではないガイド部４２６、４２６Ａが形成され、このガイド部４２６、４２６Ａの外径が首部４２４、４２４Ａの外径より小さくすることから、首部４２４、４２４Ａが簡単に掛止部１２に挿設することができる。一方、図１０に示すように、該ガイド部４２６が錐状を呈してもよく、図１１に示すように、該ガイド部４２６Ａの直径が首部４２４Ａの直径より小さくしてもよい。
【００１１】
なお、図１１に示すように、その首部４２４Ａのガイド部４２６Ａは、階段状を呈することから、肩部を形成し、その肩部の平面は、首部４２４Ａをグリップ１０の掛止部１２に挿設する時に、グリップ１０に当接して嵌合される。また、そのボルト４２を回転してグリップ１０の掛止部１２に深く挿し込むと、その肩部の平面がグリップ１０と当接して嵌合することによって、ボルト４２をグリップ１０にロックする効果を向上させる。
【００１２】
さらに、前記ヘッド４２２に回転ボタン４６が装着され、その回転ボタン４６を有すれば、使用者が回転ボタン４６を回転すると、ボルト４２のヘッド４２２を簡単に連動することができる。前記チューブ４４は、下調整器２４の内部に嵌合され、ねじ穴４４２が形成され、該ねじ穴４４２がボルト４２と螺合する。キャップ２６がチューブ４４に環装するように下調整器２４に設置される。フタ４８が回転ボタン４６をカバーするように下調整器２４に組み合わせ、そのフタ４８によれば、不注意でボルト４２を回転することはない。
【００１３】
図５及び図６に示すように、本考案にかかるロックカッターを使用する時に、刃５０がグリップ１０の掛止部１２をカバーするように取り付けられることから、使用者がボルト４２をグリップ１０の掛止部１２と一線に対応するように調整することが不要で、調整装置２０を摺動自在にグリップ１０に対して摺動すると共に、刃５０を所望の長さまでグリップ１０から押し出すことができる。その刃５０を所望の長さまで押し出すと、ボルト４２を回転して首部４２４をチューブ４４に対して回転しながら末端が掛止部１２に突き込んで掛止することができる。そのボルト４２の首部４２４がグリップ１０の掛止部１２に突き込んで掛止することによって、調整装置２０が刃５０をロックすることができ、厚めまたは硬めの物を裁断する時に、刃５０をしっかりとロックしてグリップ１０に対してずれることはない。
また、上述した技術手段を有すれば、刃５０をロックする時に、そのボルト４２がグリップ１０との摩損を減少することから、刃５０を位置決めてロックする効果を有すると共に、ロックカッターの使用寿命も延長できる。
【００１４】
図７乃至図９に示すように、本考案に係るロックカッターの第二実施例は、殆ど第一実施例と同一であるが、グリップ１０Ａの底面に凹み部１４が形成される点において異なる。その凹み部１４は、三角形またはＶ字形の断面を有し、グリップ１０Ａの底面に凹設される。また、それらの掛止部１２Ａはそれぞれ、グリップ１０Ａを貫通しないように、グリップ１０Ａの凹み部１４に凹設される。そのため、ボルト４２の首部４２４が凹み状の掛止部１２Ａに挿し込まれると、刃５０をグリップ１０に位置決められ、刃５０のロック効果に優れる。
【符号の説明】
【００１５】
１０、１０Ａ      グリップ
１１    摺動溝部
１１２  位置決め部
１２    掛止部
１４    凹み部
２０    調整装置
２２    上調整器
２４    下調整器
４０    螺合装置
４２    ボルト
４２２  ヘッド
４２４、４２４Ａ  首部
４４    チューブ
４４２  ねじ穴
４２６、４２６Ａ  ガイド部
４６    回転ボタン
４８    フタ
５０    刃
７０    オートロック部材
【図１】
0003196306.tif 000003
【図２】
0003196306.tif 000004
【図３】
0003196306.tif 000005
【図４】
0003196306.tif 000006
【図５】
0003196306.tif 000007
【図６】
0003196306.tif 000008
【図７】
0003196306.tif 000009
【図８】
0003196306.tif 000010
【図９】
0003196306.tif 000011
【図１０】
0003196306.tif 000012
【図１１】
0003196306.tif 000013